(57)【要約】【課題】簡易な構成で、通常は自分の姿を映しだし、必要に応じて、エアロビクスその他の様々なスポーツで筋肉などを消耗した後の熱的な変動状態を容易に観察し、使われていない筋肉を容易に観察して今後の体の動かし方、筋肉の使い方の参考にすることができる、カメラを用いた画像表示装置を提供する。【解決手段】装置本体の前面側に設けられた画面と、装置本体の前面側でかつ画面の周囲に設けられた、電磁波を受光するためのカメラとを有する。画面の表面に鏡が設けられる。画面の内側に偏光フィルター又は液晶素子が配置されている。一方で、カメラと投与装置がオン状態にあるとき、カメラから得られる画像を投写装置により偏光フィルター又は液晶素子に投写し画面上に投写する。他方で、カメラと投与装置がオフの状態にあるとき、鏡が光を反射して反射画像をつくり、画面の前方に人間がいる場合、人体の姿を反射画像として映すことができる。【選択図】図１
2009226131.tif 000002
【特許請求の範囲】
【請求項１】
装置本体の前面側に設けられた画面と、装置本体の前面側でかつ画面の周囲に設けられた、電磁波を受光するためのカメラとを有し、
画面の表面に鏡が設けられ、画面の内側に偏光フィルター又は液晶素子が配置されており、
一方で、カメラと投写装置がオン状態にあるとき、カメラから得られる画像を投写装置により偏光フィルター又は液晶素子に投写し画面上に投写し、
他方で、カメラと投与装置がオフの状態にあるとき、鏡が光を反射して反射画像をつくり、画面の前方に人間がいる場合、人体の姿を反射画像として映すことができることを特徴とする画像表示装置。
【請求項２】
請求項１に記載の画像表示装置において、
カメラが赤外線カメラであることを特徴とする画像表示装置。
【請求項３】
請求項１に記載の画像表示装置において、
電磁波の波長域は、近赤外線から遠赤外線の範囲であることを特徴とする画像表示装置。
【請求項４】
請求項１に記載の画像表示装置において、
鏡による反射画像と投写装置による投影画像を重ね合わせる機能を有することを特徴とする画像表示装置。
【請求項５】
請求項１に記載の画像表示装置において、
机表面に平面的に組み込まれた画面を含むことを特徴とする画像表示装置。
【発明の詳細な説明】
【技術分野】
【０００１】
この発明は、カメラ例えば赤外線カメラにより撮像された画像を表示する画像表示装置に関する。
【背景技術】
【０００２】
従来から、例えば特許文献１に示されているように、被写体のモアレトポグラフ像を撮像する装置と、被写体各部の温度を測定し擬似カラー画像化するサーモグラフ装置の機能を一体化し、同一被写体のモアレ縞画像とサーモグラフ画像を重ねて評価することができる被写体のサーモグラフ画像情報にモアレトポグラフ画像情報を重ねる装置が知られている。
【０００３】
また、例えば特許文献２に示されているように、一対の右側および左側赤外線カメラと、一対の右側および左側可視カメラと、立体熱画像と立体可視画像とが重複した状態で観察者に見えるように、上記右側および左側赤外線カメラから出力されるデータと上記右側および左側可視カメラから出力されるデータとの合成処理を行う装置が知られている。
【特許文献１】特許第３６８３３２９号公報
【特許文献２】特許第３８０７７２１号公報
【発明の開示】
【発明が解決しようとする課題】
【０００４】
しかし、特許文献１の発明では、モアレ縞画像をもとにしており、人体の筋肉などに生ずる熱的な変動を把握することができない。
【０００５】
また、特許文献２の発明では、可視カメラからのデータと合成処理を行うものの、簡易な構成で通常状態の自分の姿だけを観察することができない。
【０００６】
そこで、本発明は、簡易な構成で、通常は自分の姿を映しだし、必要に応じて、エアロビクスその他の様々なスポーツで筋肉などを消耗した後の熱的な変動状態を容易に観察し、使われていない筋肉を容易に観察して今後の体の動かし方、筋肉の使い方の参考にすることができる、カメラを用いた画像表示装置を提供することを目的とする。
【課題を解決するための手段】
【０００７】
上記課題を解決するために、請求項１に記載の発明は、装置本体の前面側に設けられた画面と、装置本体の前面側でかつ画面の周囲に設けられた、電磁波を受光するためのカメラとを有し、画面の表面に鏡が設けられ、画面の内側に偏光フィルター又は液晶素子が配置されており、一方で、カメラと投写装置がオン状態にあるとき、カメラから得られる画像を投写装置により偏光フィルター又は液晶素子に投写し画面上に投写し、他方で、カメラと投与装置がオフの状態にあるとき、鏡が光を反射して反射画像をつくり、画面の前方に人間がいる場合、人体の姿を反射画像として映すことができることを特徴とする画像表示装置である。
【０００８】
請求項２に記載の発明は、カメラが赤外線カメラであることを特徴とする。
【０００９】
請求項３に記載の発明は、電磁波の波長域は、近赤外線から遠赤外線の範囲であることを特徴とする。
【００１０】
請求項４に記載の発明は、鏡による反射画像と投写装置による投影画像を重ね合わせる機能を有することを特徴とする。
【００１１】
請求項５に記載の発明は、机表面に平面的に組み込まれた画面を含むことを特徴とする。
【発明の効果】
【００１２】
簡易な構成で、通常は自分の姿を映しだし、必要に応じて、エアロビクスその他の様々なスポーツで筋肉などを消耗した後の熱的な変動状態を容易に観察し、使われていない筋肉を容易に観察して、今後の体の動かし方、筋肉の使い方の参考にすることができる。
【発明の実施の形態】
【００１３】
図面を参照して、本発明の実施の形態を説明する。
【００１４】
図１〜２は、本発明に係る赤外線画像表示装置の全体を概略的に示す。
【００１５】
前面には、画面１が設けられ、画面１の周囲の枠２に赤外線カメラ３が設置されている。
【００１６】
通常は、画面１の表面に蒸着された鏡（後述）により、自分の姿が映し出される。必要に応じて、赤外線カメラ３のリモコン（図示せず）により電源を入れると、赤外線画像表示に用いる投写装置４、制御装置（図示せず）などが起動して、赤外線カメラ３、投写装置４、制御装置（図示せず）などがオンの状態になる。
【００１７】
赤外線カメラ３で撮像された人体の筋肉などの消耗した様子が、投写装置４を通してリアプロプロジェクション方式に画面１上に投写される。その画面上の投写画像を見て、筋肉トレーニングした後の熱的な状態を容易に観察することができ、背筋、腹筋などから放射される熱的な変動状態をもとに、消耗されていない筋肉がどこなのか知ることができ、つぎのトレーニングに役立てることができる。
【００１８】
また、図２に示すように、画面１を横型に配置するのではなく、図３に示すように、自分の筋肉その他身体の状態を観察したい人の身長に合わせて、画面１を縦型の配置に変えることもできる。そうすれば、身長の低い人、子供やお年寄りも、本発明に係る赤外線画像表示装置を簡便に利用することができる。
【００１９】
また、図には示されていないが、机表面に平面的に組み込まれた画面に、本発明に係る画面表示装置を適用してもよい。
【００２０】
図４は、鏡の部分を拡大断面図で示している。ハーフミラーなどのガラス表面１０が鏡面研磨されている。また、透光性のフィルムをガラス表面１０に圧着または接着してもよい。
【００２１】
ハーフミラーなどのガラス裏面１１には、偏光フィルター１１又は液晶素子が配置されている。
【００２２】
通常は、ガラス表面１０は、鏡として用いられる。必要に応じて、赤外線表示に切替えると、人体から放射する赤外線などの電磁波を受光するための赤外線カメラ３から得られる画像を投写装置４により投写光１２を偏光フィルター１１に投写して画面１上に投写する。その結果、筋肉トレーニングした後の熱的な状態を画面１で容易に観察することができる。
【００２３】
例えば、図５に概略を示すように、人体１５の背筋、腹筋、上腕筋、上腕二頭筋、大腿筋、下腿筋など運動に必要な筋肉から放射される熱的な変動状態をもとに、消耗されていない筋肉がどこなのか知ることができる。
【００２４】
また、リモコン（図示せず）により赤外線カメラ３の電源（図示せず）を入れると、投写装置４などが起動し、オンの状態になる。すると、画面１の内側の偏光フィルター１１又は液晶素子により赤外線カメラ３から得られる画像を偏光し、画面１上に投写する。
【００２５】
なお、赤外線カメラ３によって撮像される電磁波の波長域は、近赤外線から遠赤外線の広範囲にするのが好ましい。
【００２６】
また、図６に示すように、自分の筋肉その他身体の状態を観察したい人の人体１５から放射する赤外線などの電磁波を受光する複数台（例えば、８台）の赤外線カメラ３を画面１の周辺の枠２に設けられたレール１６に沿って移動させ、人体１５の赤外線画像を立体的に表示することもできる。これによって、観察者自身の筋肉などを立体的に投影し観察することができる。
【００２７】
また、図７に示すように、アーム１７の基端を枠２の上縁の角部に固定し、アーム１７の先端に赤外線カメラ３を取り付け、人体１５の赤外線画像を立体的に表示することもできる。これによって、観察者の背中も撮像するように複数の赤外線カメラ３を配置し、観察者自身の背中の筋肉などを投影し観察することができる。
【００２８】
なお、本発明は、上記実施例に限定されず、例えば、下記に示す態様（Ａ）〜（Ｇ）にも適用することができる。
【００２９】
（Ａ）画面の表面に鏡がつけられ、画面内部に偏光フィルター（液晶素子）が配置され、電磁波を受光するためのカメラから得られる画像を投写装置により偏光フィルターに投写し画面上に投写する画像表示装置を用いた筋肉増強方法に適用することができる。
【００３０】
（Ｂ）画面の表面に鏡がつけられ、画面内部に偏光フィルター（液晶素子）が配置され、電磁波を受光するためのカメラから得られる画像を投写装置により偏光フィルターに投写し画面上に投写する画像表示装置を用いた筋肉状態の診断方法にも適用することができる。
【００３１】
（Ｃ）画面の表面に鏡がつけられ、画面内部に偏光フィルター（液晶素子）が配置され、電磁波を受光するためのカメラから得られる画像を投写装置により偏光フィルターに投写し画面上に投写する画像表示装置を用いたリハビリテーション方法にも適用することができる。
【００３２】
（Ｄ）投写された画像に、ガイディング画像を映しこみ、効率的にリハビリテーションができるようにした画像表示装置にも適用することができる。
【００３３】
（Ｅ）行ったリハビリやトレーニングの画像について、自動記録装置をつけた画像表示装置にも適用することができる。
【００３４】
（Ｆ）画面表面の鏡像に、電磁波を受光するためのカメラから得られた後ろ側、横の像などの像を、画面上で分割して表示できる画像表示装置にも適用することができる。
【００３５】
（Ｇ）複数の人間の像を同時に、電磁波を受光するためのカメラから取得し、投写装置で偏光フィルターに投写することで、効率よく比較をすることができる画像表示装置にも適用することができる。この場合、本発明に係る画像表示装置を用いることにより、同じ運動をしたときの、複数の人間の個人個人の燃焼効率の差をリアルタイムで見ることができる。
【図面の簡単な説明】
【００３６】
【図１】本発明に係る画像表示装置の一例を示す概略断面図である。
【図２】本発明に係る画像表示装置の正面外観図を概略的に示す。
【図３】本発明に係る画像表示装置の画面を縦型配置に変えた様子を示す。
【図４】本発明に係る画像表示装置の鏡の部分を拡大して示す断面図である。
【図５】本発明に係る画像表示装置を用いて観察者自身の筋肉などを投影し観察している様子を示す。
【図６】本発明に係る画像表示装置に、複数の赤外線カメラを組み合わせて設け、観察者自身の筋肉などを投影し観察している様子を示す。
【図７】本発明に係る画像表示装置に、観察者の背中も撮像できるように複数の赤外線カメラを配置し、観察者自身の背中の筋肉などを投影し観察している様子を示す。
【符号の説明】
【００３７】
１  画面
２  枠
３  カメラ
４  投与装置
【図１】
2009226131.tif 000003
【図２】
2009226131.tif 000004
【図３】
2009226131.tif 000005
【図４】
2009226131.tif 000006
【図５】
2009226131.tif 000007
【図６】
2009226131.tif 000008
【図７】
2009226131.tif 000009